【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
第１の画像と第２の画像を入力する入力手段と、
前記第１の画像と前記第２の画像とを関連付けて記憶する記憶手段と、
前記第１および第２の画像の中から削除すべき画像を選択する選択手段と、
前記選択手段により前記第１の画像が選択された場合には、当該第１の画像に関連付けて記憶された第２の画像を削除するかについて提示を行ってから、当該第１の画像の削除処理を実行し、
前記第２の画像の削除指示を受けた場合には、当該第２の画像に関連付けて記憶された第１の画像を削除するかについて提示を行わずに、前記第２の画像の削除処理を実行するように制御する制御手段と、を有することを特徴とする画像管理装置。
【請求項２】
前記制御手段は、前記削除の指示を受けた画像が動画の場合には、前記削除処理を実行する際に、当該動画から静止画を生成して代表画像として保存するように制御することを特徴とする請求項１に記載の画像管理装置。
【請求項３】
第１の撮像手段および第２の撮像手段をさらに有し、
前記第１の撮像手段および前記第２の撮像手段の撮像方向が異なることを特徴とする請求項１または２に記載の画像管理装置。
【請求項４】
前記第２の撮像手段は、撮影者を撮影することを特徴とする請求項３に記載の画像管理装置。
【請求項５】
前記第１の撮像手段が撮像する画像データのサイズは、前記第２の撮像手段が撮像する画像データのサイズよりも大きいことを特徴とする請求項３または４に記載の画像管理装置。
【請求項６】
前記第１の画像に前記第２の画像を重畳表示するように制御する表示制御手段をさらに有することを特徴とする請求項１ないし５のいずれか１項に記載の画像管理装置。
【請求項７】
前記記憶手段は、ファイルシステムでのファイルの属性、ファイルのヘッダ部分に含まれる属性情報のいずれかを用いて関連付けを行うことを特徴とする請求項１ないし６のいずれか１項に記載の画像管理装置。
【請求項８】
前記ファイルの属性は、ファイル名、作成日時、更新日時のいずれかであることを特徴とする請求項７に記載の画像管理装置。
【請求項９】
前記属性情報は、識別子、撮影日時、ファイル名のいずれかであることを特徴とする請求項７に記載の画像管理装置。
【請求項１０】
前記制御手段は、前記削除処理を実行したことにより削減される画像のデータ容量を提示することを特徴とする請求項１に記載の画像管理装置。
【請求項１１】
入力手段が、第１の画像と第２の画像を入力するステップと、
記憶手段が、前記第１の画像と前記第２の画像とを関連付けて記憶するステップと、
選択手段が、前記第１および第２の画像の中から削除すべき画像を選択するステップと、
制御手段が、前記第１の画像が選択された場合には、当該第１の画像に関連付けて記憶された第２の画像を削除するかについて提示を行ってから、当該第１の画像の削除処理を実行し、
前記第２の画像の削除指示を受けた場合には、当該第２の画像に関連付けて記憶された第１の画像を削除するかについて提示を行わずに、前記第２の画像の削除処理を実行するように制御するステップと、を有することを特徴とする画像管理方法。
【請求項１２】
コンピュータを、請求項１ないし１０のいずれか１項に記載された画像管理装置の各手段として機能させるプログラム。
【請求項１３】
コンピュータを、請求項１ないし１０のいずれか１項に記載された画像管理装置の各手段として機能させるプログラムを記憶した記憶媒体。
【手続補正２】
【補正対象書類名】明細書
【補正対象項目名】発明の名称
【補正方法】変更
【補正の内容】
【発明の名称】画像管理装置及び画像管理方法、プログラム、並びに記憶媒体
【手続補正３】
【補正対象書類名】明細書
【補正対象項目名】０００９
【補正方法】変更
【補正の内容】
【０００９】
上記課題を解決し、目的を達成するために、本発明の画像管理装置は、第１の画像と第２の画像を入力する入力手段と、前記第１の画像と前記第２の画像とを関連付けて記憶する記憶手段と、前記第１および第２の画像の中から削除すべき画像を選択する選択手段と、前記選択手段により前記第１の画像が選択された場合には、当該第１の画像に関連付けて記憶された第２の画像を削除するかについて提示を行ってから、当該第１の画像の削除処理を実行し、前記第２の画像の削除指示を受けた場合には、当該第２の画像に関連付けて記憶された第１の画像を削除するかについて提示を行わずに、前記第２の画像の削除処理を実行するように制御する制御手段と、を有する。
【手続補正４】
【補正対象書類名】明細書
【補正対象項目名】００３６
【補正方法】変更
【補正の内容】
【００３６】
撮影待機状態では、第１および第２の画像処理部１１１、１６１は、画像信号を表示制御部１３１に送出し、表示部１３０に画像信号に関する映像を表示させる。ユーザはこの様にして表示された画面を見ながら撮影の準備を行う。
【手続補正５】
【補正対象書類名】明細書
【補正対象項目名】００３７
【補正方法】変更
【補正の内容】
【００３７】
撮影待機状態で、ユーザが操作部１０２の静止画記録ボタンを操作することにより撮影指示信号が送出されると、制御部１０１は撮影制御信号を撮像装置１００の各ブロックに送出し、以下のように制御を行う。すなわち、
第１および第２の撮像部１１０、１６０はそれぞれ、撮像素子で生成された電気信号をＡ／Ｄ変換器によってデジタル画像信号に変換した上で第１および第２の画像処理部１１１、１６１へ送出する。
【手続補正６】
【補正対象書類名】明細書
【補正対象項目名】００３８
【補正方法】変更
【補正の内容】
【００３８】
第１および第２の画像処理部１１１、１６１は、第１および第２の撮像部１１０、１６０から入力されたデジタル画像信号に対して、ホワイトバランス（ＷＢ）や色、明るさなどの画質調整処理を施し、画像データを生成する。第１および第２の画像処理部１１１、１６１で処理された各画像データは、制御部１０１によって、メモリ１０４や映像出力部１５０や表示制御部１３１に送出される。ユーザは、表示部１３０に表示された映像を見ることで、撮影された静止画を確認することができる。
【手続補正７】
【補正対象書類名】明細書
【補正対象項目名】００３９
【補正方法】変更
【補正の内容】
【００３９】
第１および第２の画像処理部１１１、１６１は、メモリ１０４に一時的に記憶された画像信号を読み出して所定の符号化を行い、圧縮画像信号を生成し、記録再生部１４０に出力する。
【手続補正８】
【補正対象書類名】明細書
【補正対象項目名】００４１
【補正方法】変更
【補正の内容】
【００４１】
なお、制御部１０１は、第１および第２の画像処理部１１１、１６１による符号化処理が終了すると、撮像装置１００の各ブロックに制御信号を送出して、撮影待機状態に戻る。
【手続補正９】
【補正対象書類名】明細書
【補正対象項目名】００４３
【補正方法】変更
【補正の内容】
【００４３】
撮影待機状態までの動作は上述した静止画撮影モードと同様である。撮影待機状態で、ユーザが操作部１０２の動画記録開始ボタンを操作することにより撮影指示信号が送出されると、制御部１０１は撮影制御信号を撮像装置１００の各ブロックに送出し、以下のように制御を行う。すなわち、
第１および第２の撮像部１１０、１６０はそれぞれ、撮像素子で生成された電気信号をＡ／Ｄ変換器によってデジタル画像信号に変換した上で第１および第２の画像処理部１１１、１６１へ送出する。
【手続補正１０】
【補正対象書類名】明細書
【補正対象項目名】００４４
【補正方法】変更
【補正の内容】
【００４４】
第１および第２の画像処理部１１１、１６１は、第１および第２の撮像部１１０、１６０から入力されたデジタル画像信号に対して、上述したようにホワイトバランス（ＷＢ）や色、明るさなどを調整する画質調整処理を施し、画像データを生成する。第１および第２の画像処理部１１１、１６１で処理された各画像データは、制御部１０１によって、メモリ１０４や表示制御部１３１に送出され、表示制御部１３１は、表示部１３０に動画を表示する。
【手続補正１１】
【補正対象書類名】明細書
【補正対象項目名】００４６
【補正方法】変更
【補正の内容】
【００４６】
第１および第２の画像処理部１１１、１６１並びに音声処理部１２１は、メモリ１０４に一時的に記憶された画像信号や音声信号を読み出し、画像信号の符号化や音声信号の符号化などを実行し、圧縮画像信号および圧縮音声信号を生成する。制御部１０１は、これら圧縮画像信号および圧縮音声信号を記録再生部１４０に送出する。
【手続補正１２】
【補正対象書類名】明細書
【補正対象項目名】００５９
【補正方法】変更
【補正の内容】
【００５９】
ユーザが操作部１０２を操作することにより再生モードが設定されると、制御部１０１は、撮像装置１００を再生状態に移行させるための再生制御信号を各ブロックに送出し、以下のように制御を行う。すなわち、
記録再生部１４０は、記録媒体１４１に記録された圧縮画像信号からなる静止画ファイル、または圧縮画像信号と圧縮音声信号または音声信号とからなる動画ファイルを読み出す。制御部１０１は記録再生部１４０により読み出された圧縮画像信号および圧縮音声信号を、第１および第２の画像処理部１１１、１６１、音声処理部１２１に送出する。非圧縮の音声信号が記録されている場合には、制御部１０１は、音声信号を直接音声出力部１５１に送出する。
【手続補正１３】
【補正対象書類名】明細書
【補正対象項目名】００６０
【補正方法】変更
【補正の内容】
【００６０】
第１および第２の画像処理部１１１、１６１、音声処理部１２１は、圧縮画像信号、圧縮音声信号を一時的にメモリ１０４に記憶させ、所定の手順で復号する。制御部１０１は、復号した音声信号を音声出力部１５１へ、復号した画像信号を映像出力部１５０や表示制御部１３１に送出する。表示制御部１３１は、入力された画像信号にかかる映像を表示部１３０に表示させ、音声出力部１５１は、入力された音声信号にかかる音声を内蔵されたスピーカや、接続されたイヤホンやスピーカから出力する。
【手続補正１４】
【補正対象書類名】明細書
【補正対象項目名】００６６
【補正方法】変更
【補正の内容】
【００６６】
Ｓ２０３では、メモリ１０４に記憶された動画データの中で最も古い動画データの破棄を行い、Ｓ２０４へ進む。破棄する動画データの単位は、秒単位でもよいし、動画の圧縮形式によってはＧＯＰ（Ｇｒｏｕｐ  Ｏｆ  Ｐｉｃｔｕｒｅｓ）単位でも良い。
【手続補正１５】
【補正対象書類名】明細書
【補正対象項目名】００７４
【補正方法】変更
【補正の内容】
【００７４】
図７において、７０１はデジタルカメラで一般的に使用されるＤＣＦ（Ｄｅｓｉｇｎ ｒｕｌｅ ｆｏｒ Ｃａｍera Ｆｉｌｅ Ｓｙｓｔｅｍ）規格にて規定されているＤＣＦルートディレクトリである。７０２、７０３は同様にＤＣＦ規格に従って作成されたＤＣＦディレクトリ、７０４〜７１３は同様にＤＣＦ規格に従って作成された画像ファイルであり、拡張子”ＪＰＧ”は静止画、”ＭＯＶ”は動画である。ここで、前述のようにＤＣＦファイル番号が同一のものが互いに関連画像（かつメイン画像）、また、ファイル名が”ＳＵＢ”で始まるものが関連画像（かつサブ画像）となる。すなわち、静止画ファイル７０４とサブ画像ファイル７０５は互いに関連画像であり、メイン画像が静止画である。ここでサブ画像ファイル７０５の拡張子が”ＪＰ＿”となっているのは同一のＤＣＦファイル番号に複数のメイン画像を設定しないようにするためである。同様に、ファイル７０６、７０７はメイン画像が静止画でサブ画像が動画の関連画像、７０８、７０９はメイン画像が動画でサブ画像が静止画の関連画像、７１０、７１１はメイン画像が動画でサブ画像も動画の関連画像である。
【手続補正１６】
【補正対象書類名】明細書
【補正対象項目名】００８８
【補正方法】変更
【補正の内容】
【００８８】
Ｓ３１５では、後述するサブ画像削除処理を行い、Ｓ３１６では、ファイル検索を行って記録媒体１４１に再生可能なファイルが存在するか否かを判定し、存在しない場合はＳ３０７へ進み、存在する場合はＳ３１７に進む。
【手続補正１７】
【補正対象書類名】明細書
【補正対象項目名】００８９
【補正方法】変更
【補正の内容】
【００８９】
Ｓ３１７では、再生するメイン画像を設定し、Ｓ３０３へ戻り、Ｓ３１７で設定されたメイン画像の再生処理を行い、表示部１３０にメイン画像を表示する。ここで設定される再生画像は、現在表示中のＤＣＦファイル番号の画像が存在する場合にはその画像を、存在しない場合は、ＤＣＦファイル番号の順番で後または前に位置する画像をメイン画像とする。
【手続補正１８】
【補正対象書類名】明細書
【補正対象項目名】０１１５
【補正方法】変更
【補正の内容】
【０１１５】
また、上述した画像削除処理３、４によれば、メイン画像および／またはサブ画像が静止画なのか動画なのかに応じて最適な処理候補をユーザに提示することができる。これにより、メイン画像を残すことを優先しつつ、メイン動画やサブ動画の変換処理や削除処理を提示することで、記録媒体の空き容量の減少を抑えることができる。